(57)【要約】      （修正有）【課題】縫合糸を管理するための外科手術用入口装置と共に使用するための装置を提供する。【解決手段】１本以上の縫合糸１０を組み込む外科手術手順において使用するための外科手術用入口装置１１０であって、入口部材１１２であって、長手方向軸を規定し、そして入口部材１１２を通る長手軸方向開口部を有する、入口部材１１２ならびに入口部材１１２に作動可能に接続された縫合糸管理デバイスであって、縫合糸管理デバイスは、第一の部材１３０、および第一の部材１３０に設置可能な第二の部材１４０を備え、第一の部材１３０および第二の部材１４０は、少なくとも１本の縫合糸１０を入口部材１１２に対して所定の関係で選択的に固定するように適合された協働表面を有する。【選択図】図１
2010172697.tif 000002
【特許請求の範囲】
【請求項１】
１本以上の縫合糸を組み込む外科手術手順において使用するための外科手術用入口装置であって、
入口部材であって、長手方向軸を規定し、そして該入口部材を通る長手軸方向開口部を有する、入口部材；ならびに
該入口部材に作動可能に接続された縫合糸管理デバイスであって、該縫合糸管理デバイスは、第一の部材、および該第一の部材に設置可能な第二の部材を備え、該第一の部材および該第二の部材は、該少なくとも１本の縫合糸を該入口部材に対して所定の関係で選択的に固定するように適合された協働表面を有する、縫合糸管理デバイス、
を備える、外科手術用入口装置。
【請求項２】
前記第一の部材が少なくとも１つの縫合糸保持スロットを備える、請求項１に記載の外科手術用入口装置。
【請求項３】
前記第二の部材が、少なくとも１つの突出リブを備え、該突出リブは、前記第一の部材の前記少なくとも１つのスロットに少なくとも部分的に受容されるための寸法である、請求項２に記載の外科手術用入口装置。
【請求項４】
前記少なくとも１つのスロットおよび前記少なくとも１つのリブが、前記長手方向軸に対して半径方向外向きに延びている、請求項３に記載の外科手術用入口装置。
【請求項５】
前記第一の部材が複数のスロットを備え、そして前記第二の部材が複数のリブを備え、該リブは、それぞれのスロットに部分的に受容されるような寸法および配置にされ、これによって、複数の縫合糸を解放可能に固定する、請求項４に記載の外科手術用入口装置。
【請求項６】
前記第一の部材のスロットおよび前記第二の部材のリブが、半径方向に間隔を空けた所定の関係で配置されている、請求項５に記載の外科手術用入口装置。
【請求項７】
前記第一の部材および前記第二の部材の各々が、外科手術用物体を受容するための大きさにされた長手軸方向開口部を規定する、請求項６に記載の外科手術用入口装置。
【請求項８】
前記入口部材が、ハウジングセグメント、および該ハウジングセグメントから延びる細長セグメントを備え、前記縫合糸管理デバイスが、該ハウジングセグメントを係合するように適合されている、請求項１に記載の外科手術用入口装置。
【請求項９】
前記縫合糸管理デバイスが前記入口部材と一体的に形成されている、請求項１に記載の外科手術用入口装置。
【請求項１０】
前記第一の部材および前記第二の部材のうちの少なくとも一方が、内部に保持された１本以上の縫合糸を識別するための印を備える、請求項１に記載の外科手術用入口装置。
【請求項１１】
前記第二の部材の少なくとも１つのリブが、前記第一の部材の少なくとも１つのスロットに、該スロットと摩擦関係で受容されるための寸法にされている、請求項１に記載の外科手術用入口装置。
【請求項１２】
入口部材と共に使用するための縫合糸管理デバイスであって、
入口部材と作動可能に接続されるように構成された挿入部材であって、該挿入部材は、半径方向外向きに延びる複数のスロットを備える、挿入部材；および
半径方向外向きに延びる複数のリブを備えるキャップ部材であって、該リブは、該挿入部材のスロット内に係合するように構成されており、該スロット内での該リブの係合が、内部に少なくとも１つの縫合糸をしっかりと保持する、キャップ部材、
を備える、縫合糸管理デバイス。
【発明の詳細な説明】
【技術分野】
【０００１】
（関連出願の相互参照）
本願は、２００９年１月３０日に出願された、米国仮出願番号６１／１４８，４７０の利益および優先権を主張する。この米国仮出願の全内容は、本明細書中に参考として援用される。
【０００２】
（技術分野）
本開示は、トロカールおよび他の外科手術用入口装置に関し、そしてより特定すると、相互に噛み合うキャップを備える外科手術用入口装置のための縫合糸管理装置に関する。
【背景技術】
【０００３】
トロカールおよび他の外科手術用入口装置は、このようなアセンブリを使用して実施され得る無数の手順と同様に、公知である。アクセスアセンブリを通して実施される最小侵襲性手順の多くは、外科手術用入口装置に通して１本以上の縫合糸を使用することを必要とするか、またはこれにより単純にされる。外科手術用入口装置を通って体腔内に延びる縫合糸は、例えば、組織を一時的に保持するため、組織を操作するため、組織を繋留するため、または周辺デバイスを操作するために、使用され得る。所定の外科手術手順を完了するために必要とされる切開部位の数を減少させることを試みて、１つの外科手術用入口装置が、１つ以上のデバイスへのアクセスを提供することに加えて、１本以上の縫合糸を体腔内に通すために使用され得る。１つの繋留デバイスは、このデバイスから延びて外科手術用入口装置を通る、多数の縫合糸端部を有し得る。外科手術用入口装置を通って延びる縫合糸は、それぞれが操作される際に、または１つ以上の器具がこのアセンブリに挿入され、そしてこのアセンブリから引き抜かれる際に、絡まり得る。また、外科医は、外科手術の経過中に、縫合糸の端部を取り違え得る。縫合糸の端部が絡まること、または縫合糸の端部を取り違えることは、その手順を不必要に複雑にし得、そしてその手順を完了するために必要な時間を増加させ得る。
【発明の概要】
【発明が解決しようとする課題】
【０００４】
従って、縫合糸を管理するための外科手術用入口装置と共に使用するための装置を有することが有利である。
【課題を解決するための手段】
【０００５】
上記課題を解決するために、本発明は、例えば、以下を提供する：
（項目１）
１本以上の縫合糸を組み込む外科手術手順において使用するための外科手術用入口装置であって、
入口部材であって、長手方向軸を規定し、そして該入口部材を通る長手軸方向開口部を有する、入口部材；ならびに
該入口部材に作動可能に接続された縫合糸管理デバイスであって、該縫合糸管理デバイスは、第一の部材、および該第一の部材に設置可能な第二の部材を備え、該第一の部材および該第二の部材は、該少なくとも１本の縫合糸を該入口部材に対して所定の関係で選択的に固定するように適合された協働表面を有する、縫合糸管理デバイス、
を備える、外科手術用入口装置。
【０００６】
（項目２）
前記第一の部材が少なくとも１つの縫合糸保持スロットを備える、上記項目に記載の外科手術用入口装置。
【０００７】
（項目３）
前記第二の部材が、少なくとも１つの突出リブを備え、該突出リブは、前記第一の部材の前記少なくとも１つのスロットに少なくとも部分的に受容されるための寸法である、上記項目のいずれか一項に記載の外科手術用入口装置。
【０００８】
（項目４）
前記少なくとも１つのスロットおよび前記少なくとも１つのリブが、前記長手方向軸に対して半径方向外向きに延びている、上記項目のいずれか一項に記載の外科手術用入口装置。
【０００９】
（項目５）
前記第一の部材が複数のスロットを備え、そして前記第二の部材が複数のリブを備え、該リブは、それぞれのスロットに部分的に受容されるような寸法および配置にされ、これによって、複数の縫合糸を解放可能に固定する、上記項目のいずれか一項に記載の外科手術用入口装置。
【００１０】
（項目６）
前記第一の部材のスロットおよび前記第二の部材のリブが、半径方向に間隔を空けた所定の関係で配置されている、上記項目のいずれか一項に記載の外科手術用入口装置。
【００１１】
（項目７）
前記第一の部材および前記第二の部材の各々が、外科手術用物体を受容するための大きさにされた長手軸方向開口部を規定する、上記項目のいずれか一項に記載の外科手術用入口装置。
【００１２】
（項目８）
前記入口部材が、ハウジングセグメント、および該ハウジングセグメントから延びる細長セグメントを備え、前記縫合糸管理デバイスが、該ハウジングセグメントを係合するように適合されている、上記項目のいずれか一項に記載の外科手術用入口装置。
【００１３】
（項目９）
前記縫合糸管理デバイスが前記入口部材と一体的に形成されている、上記項目のいずれか一項に記載の外科手術用入口装置。
【００１４】
（項目１０）
前記第一の部材および前記第二の部材のうちの少なくとも一方が、内部に保持された１本以上の縫合糸を識別するための印を備える、上記項目のいずれか一項に記載の外科手術用入口装置。
【００１５】
（項目１１）
前記第二の部材の少なくとも１つのリブが、前記第一の部材の少なくとも１つのスロットに、該スロットと摩擦関係で受容されるための寸法にされている、上記項目のいずれか一項に記載の外科手術用入口装置。
【００１６】
（項目１２）
入口部材と共に使用するための縫合糸管理デバイスであって、
入口部材と作動可能に接続されるように構成された挿入部材であって、該挿入部材は、半径方向外向きに延びる複数のスロットを備える、挿入部材；および
半径方向外向きに延びる複数のリブを備えるキャップ部材であって、該リブは、該挿入部材のスロット内に係合するように構成されており、該スロット内での該リブの係合が、内部に少なくとも１つの縫合糸をしっかりと保持する、キャップ部材、
を備える、縫合糸管理デバイス。
【００１７】
（摘要）
１本以上の縫合糸を組み込む、外科手術手順において使用するための外科手術用入口装置が提供される。この外科手術用入口装置は、入口部材およびこの入口部材に作動可能に接続された縫合糸管理デバイスを備える。この入口部材は、長手方向軸を規定し、そしてこの入口部材を通る長手軸方向開口部を有する。この縫合糸管理デバイスは、第一の部材、およびこの第一の部材に設置可能な第二の部材を備える。この第一の部材およびこの第二の部材は、少なくとも１本の縫合糸をこの入口部材に対して所定の関係で選択的に固定するように適合された、協働表面を有する。
【００１８】
（要旨）
１本以上の縫合糸を組み込む、外科手術手順において使用するための外科手術用入口装置は、入口部材およびこの入口部材に作動可能に接続された縫合糸管理デバイスを備える。この入口部材は、長手方向軸を規定し、そしてこの入口部材を通る長手軸方向開口部を有する。この縫合糸管理デバイスは、第一の部材、およびこの第一の部材に設置可能な第二の部材を備える。この第一の部材およびこの第二の部材は、少なくとも１本の縫合糸をこの入口部材に対して所定の関係で選択的に固定するように適合された、協働表面を有する。この第一の部材は、少なくとも１つの縫合糸保持スロットを備え得る。この第二の部材は、少なくとも１つの突出リブを備え、この突出リブは、この第一の部材の少なくとも１つのスロット内に少なくとも部分的に受容されるための寸法である。この少なくとも１つのスロットおよびこの少なくとも１つのリブは、この長手方向軸に対して半径方向外向きに延び得る。
【００１９】
１つの実施形態において、この第一の部材は、複数のスロットを備え得、そしてこの第二の部材は、複数のリブを備え得る。これらのリブは、それぞれのスロット内に部分的に受容されるような寸法および配置にされ、これによって、複数の縫合糸を解放可能に固定する。第一の部材のスロットおよび第二の部材のリブは、半径方向に間隔を空けた所定の関係で配置され得る。
【００２０】
この第一の部材および第二の部材の各々は、外科手術用物体を受容するための大きさにされた、長手軸方向開口部を規定する。この入口部材は、ハウジングセグメント、およびこのハウジングセグメントから延びる細長セグメントを備え得る。この縫合糸管理デバイスは、このハウジングセグメントと取り外し可能に係合するように適合される。あるいは、この縫合糸管理デバイスは、このハウジングセグメントと一体的に形成される。
【００２１】
別の局面において、縫合糸管理デバイスは、入口部材に作動可能に接続されるように構成された挿入部材を備える。この挿入部材は、半径方向外向きに延びる複数のスロットを備える。キャップ部材は、半径方向外向きに延びる複数のリブを備え、これらのリブは、この挿入部材のスロット内に係合するように構成されており、これらのスロット内でのリブの係合は、少なくとも１本の縫合糸をその内部にしっかりと保持する。
【００２２】
添付の図面は、本明細書に組み込まれ、そして本明細書の一部とみなされる。これらの図面は、本開示の実施形態を図示し、そして上に与えられた本開示の一般的な説明、および以下に与えられる実施形態の詳細な説明と一緒に、本開示の原理を説明する役に立つ。
【発明の効果】
【００２３】
本発明により、縫合糸を管理するための外科手術用入口装置と共に使用するための装置が提供される。
【図面の簡単な説明】
【００２４】
【図１】図１は、本開示の実施形態による縫合糸管理装置を備える、外科手術用入口装置の斜視側面図である。
【図２】図２は、図１の縫合糸管理装置のキャップ部材の斜視側面図である。
【図３】図３は、図１の縫合糸管理装置の挿入部材の斜視側面図である。
【図４】図４は、本開示の別の実施形態による縫合糸管理システムを備える、外科手術用入口装置の斜視側面図である。
【発明を実施するための形態】
【００２５】
本明細書中に開示される外科手術用入口装置は、種々の外科手術手順（腹腔鏡外科手術、内視鏡外科手術、関節鏡外科手術および整形外科手術が挙げられる）において使用するために構成され得る。このアクセスアセンブリは、被験体の体腔と外側環境との間の通路を提供し、そして種々のサイズおよび構成の外科手術用器具を受容し得る。本開示のアクセスアセンブリの１つの実施形態は、例えば、クリップアプライア、把持具、解剖器具、レトラクタ、ステープラー、レーザープローブ、写真デバイス、内視鏡および腹腔鏡、管などを受容するように構成される。このような器具は、本明細書中でまとめて、「器具」または「器具類」と称される。
【００２６】
これらの器具に加えて、このアクセスアセンブリはまた、このアクセスアセンブリを通る１本以上の縫合糸の通過を、例えば、関節鏡手順中に可能にする。数本の縫合糸がこのアクセスアセンブリを通して被験体の身体に導入される場合、これらの縫合糸は互いに絡まり得るか、または外科医により取り違えられ得る。縫合糸の絡まりおよび／または取り違えは、少なくとも、この外科手術手順を実施する臨床医に不都合であり得る。縫合糸が互いに絡まる可能性、または外科医が縫合糸を取り違える可能性を最小にするために、このアクセスアセンブリは、１本以上の縫合糸を適所に保持するための、縫合糸保持部材を組み込む。この縫合糸保持部材はまた、１本以上の縫合糸を緊張状態に維持するために使用され得る。
【００２７】
ここで図面を参照すると、図面において、同じ参照番号は、数枚の図にわたって類似の構成要素を図示し、本開示の原理に従う縫合糸管理システムが図示されている。以下の説明において、用語「近位」とは、アクセスアセンブリの、臨床医に最も近い部分をいい、一方で、用語「遠位」とは、アクセスアセンブリの、臨床医から最も遠い部分をいう。本明細書中で使用される場合、用語「被験体」とは、ヒト患者または他の動物をいう。用語「臨床医」とは、外科医、看護士または他の介護提供者をいい、補助人員を含み得る。
【００２８】
最初に図１を参照すると、本開示による縫合糸管理システムが、縫合糸管理システム１００として示されている。縫合糸管理システム１００は、外科手術用入口装置１１０、および縫合糸管理デバイス１２０を備える。
【００２９】
外科手術用入口装置１１０は、入口部材１１２、および入口部材１１２から遠位に延びるスリーブ１１４を備える。縫合糸管理デバイス１２０の以下の議論は、外科手術用入口装置１１０に関してなされるが、本開示の局面は、本明細書中に開示される実施形態に限定されると読み取られるべきではない。縫合糸管理デバイス１２０は、任意の外科手術用入口装置と共に使用するために改変され得る。
【００３０】
図１をなお参照すると、入口部材１１２は、開口近位端１１２ａおよび実質的に開いた遠位端１１２ｂを有する、実質的に円筒形のハウジングを規定する。開口近位端１１２ａは、挿入物１２０を係合するように構成される。入口部材１１２の遠位端１１２ｂは、スリーブ１１４と一体的に形成され得る。あるいは、入口部材１１２は、スリーブ１１４と選択的に係合するように構成され得る。入口部材１１２は、プラスチック、ポリマーなどの材料の構築物であり得る。入口部材１１２は、使い捨てであり得るか、または代替例においては、再使用可能であり得る。入口部材１１２は、硬くあり得るか、あるいは実質的に可撓性であり得る。入口部材１１２は、外科手術用物体を密封様式で受容するための、任意のシール配置を有する１つ以上のシール部材（図示せず）を備え得る。入口部材１１２は、外科手術用入口装置１１０を通って延びる１本以上の縫合糸「Ｓ」を固定するための、１つ以上のアンカー（図示せず）または他の縫合糸固定手段をさらに備え得る。入口部材１１２は、患者の体腔を通気ガス、生理食塩水または他の適切な流体で満たすように構成された、通気弁またはポート（図示せず）をさらに備え得る。
【００３１】
スリーブ１１４は、閉塞具（図示せず）の補助により、皮膚を通して体腔に挿入されるように構成されるか、またはその代わりに、皮膚を貫通して体腔に入るための刃もしくは穿孔先端を備え得る。スリーブ１１４は、実質的に管状の部材を形成し、この部材は、近位端１１４ａおよび遠位端１１４ｂを有し、そしてこれらの端部の間に延びる第一の長手軸方向通路１２３を規定する。スリーブ１１４は、プラスチック、金属、ポリマーなどから構成され得る。スリーブ１１４は、使い捨てであり得るか、または代替例においては、再使用可能であり得る。スリーブ１１４は、硬くあり得るか、あるいはスリーブ１１４は、可撓性であり得る。スリーブ１１４は、開口し得るか、またはその代わりに、長さに沿った任意のシール配置を有する１つ以上のシール部材（図示せず）を備えるように構成され得る。
【００３２】
ここで図１〜図３を参照すると、縫合糸管理デバイス１２０は、入口部材１１２の近位端またはハウジング端１１２ａ上に受容されるように構成された、実質的に円筒形のアセンブリを備える。縫合糸管理デバイス１２０は、種々の直径の内視鏡器具、腹腔鏡器具または他の細長器具の受容のために構成された、長手軸方向通路１２３を規定する。縫合糸管理デバイス１２０は、挿入部材または第一の部材１３０、および挿入部材１３０と係合するように構成されたキャップ部材または第二の部材１４０を備える。縫合糸管理デバイス１２０は、好ましくは、器具を密封様式で受容するための１つ以上のシール部材を有する外科手術用入口装置と一緒に使用されるが、縫合糸管理デバイス１２０が１つ以上のシール部材（図示せず）を備え得ることが予測される。
【００３３】
ここで図３を参照すると、挿入部材１３０は、実質的に円筒形の本体１３２を規定し、この本体は、近位端１３２ａおよび遠位端１３２ｂを有し、そしてこれらの端部の間に延びる長手軸方向通路１３３を規定する。遠位端１３２ｂは、入口部材１１２の近位端１１２ａに受容されるように構成された、フランジ状部分またはへこんだ部分１３４を備える。示されるように、挿入部材１３０は、入口部材１１２の近位端１１２ａと摩擦係合するように構成される。しかし、挿入部材１３０と入口部材１１２とは、機械的に結合（すなわち、螺合係合）され得ることが予測される。入口部材１１２の近位端１１２ａ内に受容されるように図示されるが、挿入部材１３０は、入口部材１１２の周りに受容されるように構成され得ることがさらに予測される。挿入部材１３０の近位端１３２ａは、半径方向に延びる複数のスロット１３６を備える。スロット１３６は、近位端１３２ａの周りで間隔を空け、そして長手軸方向通路１３３から外向きに延びる。挿入部材１３０は、任意の数のスロット１３６を備え得る。スロット１３６は、様々な幅のものであり得る。スロット１３６の各々は、少なくとも１本の縫合糸１０を受容するように構成される（図１）。図示されるように、スロット１３６の各々は、内部に受容された縫合糸１０を識別することを補助するための印１３８を備え得る。印１３８は、文字、数字、記号、色または他の識別特徴であり得る。以下でさらに詳細に議論されるように、印１３８はまた、キャップ部材１４０と挿入部材１３０との整列を補助し得る。
【００３４】
ここで図２を参照すると、キャップ部材１４０は、実質的に切頭円錐形の本体１４２を規定し、この本体は、近位端１４２ａおよび遠位端１４２ｂを有し、そしてこれらの端部の間の長手軸方向通路１４３を規定する。キャップ部材１４０の遠位端１４２ｂは、この遠位端から延びる遠位延長部１４４を備える。遠位延長部１４４は、長手軸方向通路１４３の遠位端を規定し、そして挿入部材１３０の長手軸方向通路１３３内に受容されるように構成される。キャップ部材１４０は、遠位延長部１４４から半径方向外向きに延びる複数のリブ１４６をさらに備える。リブ１４６は、挿入部材１３０の近位端１３２ａに形成されたスロット１３６と、数および位置が対応する。リブ１４６の各々は、挿入部材１３０の対応するスロット１３６内に受容されるように構成される。リブ１４６は、過剰な大きさにされるか、コーティング（図示せず）を備えるか、または他の様式で構成されて、スロット１３６および／または縫合糸１０を摩擦係合し得る。キャップ部材１４０の遠位端１４２ｂはまた、挿入部材１３０の印１３８に対応する印１４８を備え得る。印１４８は、リブ１４６とスロット１３６とを整列させることを補助し得、そして／または挿入部材１３０の印１３８の代わりに、スリット１３６内の縫合糸１０を識別することを補助し得る。
【００３５】
外科手術用入口装置１１０の構成および／またはその使用者の選択に依存して、縫合糸管理デバイス１２０の挿入部材１３０は、製造中に、外科医によって、外科手術用入口装置１１０を体腔に挿入する前、または外科手術用入口装置１１０を体腔に挿入した後に、外科手術用入口装置１１０に取り付けられ得る。キャップ部材１４０は、挿入部材１３０とは別に提供され得るか、あるいはキャップ部材１４０は、挿入部材１３０と係合され得る。上で議論されたように、外科手術用入口装置１１０のスリーブ１１４は、自己穿孔型のものであり得るか、またはその代わりに、閉塞具（図示せず）の補助で挿入され得る。挿入部材１３０のスロット１３６内への縫合糸１０（図１）の受容前に、外科手術用入口装置１１０は、従来のアクセスアセンブリとして機能する。入口部材１１２内に配置されたシール部材（図示せず）、スリーブ１１４および／または縫合糸管理デバイス１２０は、器具「Ｉ」を密封様式で受容するように作動され得る。
【００３６】
操作において、縫合糸管理デバイス１２０のキャップ部材１４０は、１本以上の縫合糸１０が挿入部材１３０のスリット１３６内に受容されることを可能にする目的で、挿入部材１３０との係合から外される。縫合糸１０は、組織を操作するために使用され得るか、または例えば、組織を結合するための整形外科手術手順と組み合わせて使用され得る。縫合糸１０は、入口装置１１０のスリーブ１１４を通って手術部位から延び得る。一旦、１本以上の縫合糸１０がスロット１３６に受容されると、キャップ部材１４０が挿入部材１３０と係合され、その結果、リブ１４６が、挿入部材１３０に形成されたスロット１３６と係合する。従って、縫合糸１０は、リブ１４６によって、スロット１３６内に摩擦により保持される。あるいは、またはさらに、キャップ部材１４０の遠位延長部１４４は、挿入部材１３０の内側表面に対して、縫合糸１０を摩擦により係合させる。キャップ部材１４０は、必要に応じて挿入部材１３０から脱係合および再係合されて、スロット１３６内の縫合糸１０を追加、除去および／または再配置し得る。外科手術手順中に縫合糸管理システム１００を使用する際に、このシステムを使用しなければ絡まり、誤配置され、そして／または取り違えられる縫合糸１０は、縫合糸管理デバイス１２０によりしっかりと保持され、そして器具「Ｉ」から離して維持される。
【００３７】
ここで図４を参照すると、縫合糸管理システムの代替の実施形態が、一般に、縫合糸管理システム２００として示されている。縫合糸管理システム２００は、本明細書中で上に記載された縫合糸管理システム１００と、形態および機能が実質的に類似である。縫合糸管理システム２００は、縫合糸管理デバイス２２０および外科手術用入口装置２１０を備える。縫合糸管理デバイス２２０、および特に、挿入部材２３０は、外科手術用入口装置２１０と一体的に形成される。この様式で、挿入部材２３０および外科手術用入口装置２１０は、手順中に不慮に分離され得ない。
【００３８】
本開示の例示的な実施形態が添付の図面を参照しながら本明細書中に記載されたが、本開示は、これらの正確な実施形態に限定されないこと、ならびに種々の他の変更および改変が、当業者によって、本開示の範囲または趣旨から逸脱することなくこれらの実施形態においてなされ得ることが理解されるべきである。
【符号の説明】
【００３９】
１０：縫合糸
１００：縫合糸管理システム
１１０：外科手術用入口装置
１１２：入口部材
１１４：スリーブ
１２０：縫合糸管理デバイス
１２３：長手軸方向通路
１３０：挿入部材、第一の部材
１３６：スロット
１４０：キャップ部材、第二の部材
１４６：リブ
【図１】
2010172697.tif 000003
【図２】
2010172697.tif 000004
【図３】
2010172697.tif 000005
【図４】
2010172697.tif 000006